(57)【特許請求の範囲】
【請求項１】
加熱処理装置の加熱室内部に配置されたターンテーブルを加熱室外部に配置した駆動源によって回転駆動させるためのターンテーブル駆動機構において、
前記ターンテーブルは前記加熱室の下部に配置され、前記駆動源は前記加熱室の上部に配置されており、前記駆動源からの回転トルクを前記加熱室の上部板を通じて前記ターンテーブルに伝達するように前記加熱室の上部と下部の間に延びる駆動軸と、該駆動軸を前記上部板に対して回転し得るように固定するための軸受けと、前記加熱室の上部にあって前記駆動軸と前記軸受けとの間に存在する前記駆動軸の回転を可能とするための微細な隙間を通じて前記加熱室の外部から内部へと下方に向かう空気流を発生させるための空気導入手段とを備えたことを特徴とするターンテーブル駆動機構。
【請求項２】
前記空気導入手段は、前記軸受けの側壁の前記加熱室外部における外周に設けられた空気導入口と、該空気導入口に接続された空気導入管を備える請求項１記載のターンテーブル駆動機構。
【発明の詳細な説明】
【０００１】
【産業上の利用分野】
本発明は、加熱処理装置のターンテーブルを回転させるためのターンテーブル駆動機構、更に言えば、駆動軸と軸受けの隙間に不要物が流入するのを防止する手段を施したターンテーブル駆動機構に関する。
【０００２】
【従来の技術】
ターンテーブルの駆動機構には、モータ等の駆動源の他に、駆動源で発生された回転トルクを加熱室内部のターンテーブルに伝達する駆動軸と、この駆動軸を固定する軸受けが必要とされる。これら駆動軸と軸受けの間には、駆動軸の回転を可能とするために微細な隙間が設けてあるが、この隙間は、以下に掲げるような問題を生じさせることがある。
【０００３】
【発明が解決しようとする課題】
一般に、加熱処理装置の加熱室内部では、加熱処理によって加熱と冷却が繰り返されているため、加熱室内部と軸受け内部に圧力変動が生じるが、この圧力変動は、駆動軸と軸受けとの隙間に呼吸作用を及ぼす原因となり、このため、調理時に発生した汚染物がこの隙間に流入するおそれが生じる。また、加熱室内部を洗剤等で洗浄する際にも、洗剤の界面活性剤等によって同様のおそれが生じる。更に、駆動軸と軸受けの間の隙間は微細なものであることから、毛細管現象が発生することがあるが、この現象も同様のおそれを生じさせる。従来、この問題に対して特に有効な対策がとられてこなかったため、これらの隙間に入り込んだ汚染物等により、駆動軸の円滑な回転に支障を生じさせるという問題が生じていた。
故に、本発明は、駆動軸と軸受けの間に不要物が流入するのを有効に防止する装置を提供する。
【０００４】
【課題を解決するための手段】
本発明は、加熱処理装置の加熱室内部に配置されたターンテーブルを加熱室外部に配置した駆動源によって回転駆動させるためのターンテーブル駆動機構に関する。この駆動機構では、ターンテーブルは加熱室の下部に配置され、駆動源は加熱室の上部に配置されており、駆動源からの回転トルクを加熱室の上部板を通じてターンテーブルに伝達するように加熱室の上部と下部の間に延びる駆動軸と、該駆動軸を上部板に対して回転し得るように固定するための軸受けと、加熱室の上部にあって駆動軸と軸受けとの間に存在する駆動軸の回転を可能とするための微細な隙間を通じて加熱室の外部から内部へと下方に向かう空気流を発生させるための空気導入手段が含まれる。
なお、空気導入手段は、軸受けの側壁の加熱室外部における外周に設けられた空気導入口と、該空気導入口に接続された空気導入管を備える。
以下、添付図面を参照して本発明を説明する。
【０００５】
【実施例】
理解を容易にするため、加熱処理装置の構成部材のうち、本発明に係わるターンテーブルと、このターンテーブルのための駆動系のみを図１に示している。
駆動源であるモータ１は、加熱室上部の、加熱室の外部に設けられている。ターンテーブル９は、加熱室内部に設けられているため、モータで発生した回転トルクをこのターンテーブル９に伝達するために連結シャフト３，５等が使用される。モータ１で発生された回転トルクは、連結シャフト３を通じてスパイラルマイタ歯車１１に伝達され、更に、これと噛み合わされたスパイラルマイタ歯車１３を通じて連結シャフト５に伝達される。連結シャフト３とモータ１の間に設けられた連結シャフトジョイント１５は、連結シャフト５とモータ１との係合を外すために設けられており、ターンテーブル９に過負荷がかかったときに、圧縮コイルバネの働きによって連結シャフト３，５等に加わるストラス荷重を逃す働きをするものである。連結シャフト５の端部にターンテーブル駆動歯車７を設けて、これをターンテーブル９の歯と噛み合わせることにより、ターンテーブル９を回転させる。
【０００６】
連結シャフト５を所定位置に保持するため、加熱室の上部板２２に軸受け４０を固定して設ける。上部板２２には、連結シャフト５を貫通させる貫通穴がもうけてある。連結シャフト５は、この貫通穴を通じて加熱室外部と内部の間にて、軸受け４０により回転可能に保持される。軸受け４０と連結シャフト５の拡大図を図２に示す。
図２を参照すれば明らかなように、連結シャフト５は、その上部に拡張部５２を有する。連結シャフト５上部の突起部５４にスパイラスマイタ歯車１３が固定され、連結シャフト５とスパイラルマイタ歯車１３間の回転トルクの伝達が可能とされている。連結シャフト５は、その拡張部５２の下部において、軸受け４０下部に設けたメタル軸受４２によって受け止められて、所定高さに保持される。拡張部５２の下部側面は、メタル軸受け４２の外側に固定して設けた側壁４４によって包囲される。側壁４４と加熱室の上部板２２の間に隙間は存在しない。
連結シャフト５の拡張部５２の上部を、スリーブ４５によって包囲する。スリーブ４５上端部の内側に、連結シャフト５と回転可能に密着するシーリング部材４１が設けてある。スリーブ４５のこの上端部以外と拡張部５２との間には、隙間が設けてある。スリーブ４５の外周部に、このスリーブ４５に固定されるナット４３を設ける。連結シャフト３を支持する支持板６がスリーブ４５の下まで延長されており、ナット４３はこの延長部上に固定される。ナット４３と支持板６の間に隙間は存在しない。ナット４３により、スリーブ４５が所定位置に保持される。
【０００７】
ナット４３を貫通する空気導入口４６を設けて、ファン（図示していない）によって加圧された空気を、ホース４８を通じてこの導入口４６から軸受け内部に送り込む。ファンは、この目的のためだけに設けてもよいが、マグネトロン等の部品を冷却するために使用するファンを共用するようにして使用してもよい。つまり、この目的に使う空気の流量は、微小であるため、マグネトロン等の部品を冷却するために設けられたファンによって発生した空気の一部を、空気導入口４６に導くようにしてもよい。
軸受け４０と連結シャフト５の拡張部５２の間には比較的大きな隙間が存在しており、空気導入口４６から導入された空気がその隙間に入り易くされている。この比較的大きな隙間に導入された空気は、更に、拡張部５２の下部、更にまた、拡張部５２の側面部に沿って下方に導かれ、加熱室内部に流出している。
【０００８】
【発明の効果】
本発明の構成によれば、連結シャフト５と軸受け４０の隙間を通じて、軸受け４０の内部から加熱室の内部に常に微小な空気を流出させることが可能とされる。この結果、連結シャフト５と軸受け４０の間に汚染物等が流入してしまうことを有効に防止することができ、従って、連結シャフトの回転に支障が生じることも減少する。
【図面の簡単な説明】
【図１】本発明による実施例による加熱処理装置を、その駆動系とターンテーブルのみを用いて示した図。
【図２】本発明による軸受け２０と連結シャフト５の拡大図。
【符号の説明】
１    モータ
３    連結シャフト
５    連結シャフト
６    支持板
７    ターンテーブル駆動歯車
９    ターンテーブル
１１  スパイラルマイタ歯車
１３  スパイラルマイタ歯車
１５  連結シャフトジョイント
２２  上部板
４０  軸受け
４１  シーリング部材
４２  メタル軸受
４３  ナット
４４  側壁
４５  スリーブ
４６  空気導入口
５２  拡張部
５４  突起部
【図１】
0003615242.tif 000002
【図２】
0003615242.tif 000003